(57)【要約】【課題】希望する地図上の位置に立体の建造物を簡単かつ迅速に建設設計することができるようにし、また、現地に赴いて目的施設を容易に探すことができるようにする。【解決手段】（ａ）に示すように、受信した位置関連情報が示す地面（敷地）Ｐを含む地図データが読み出して、管理サーバの表示部６３５に電子地図Ｍが表示させる。次に、使用者により指定された建造物の種類またはタイプと、建造物の階数とに基づいて、対応する立体形状の立体建造物Ｋを作成する。しかる後に、この立体建造物Ｋを電子地図Ｍ上の前記位置関連情報に対応する地面（敷地）Ｐ上に配置した立体地図を作成する処理を実行する。これにより、（ｃ）に示すように、電子地図Ｍ上であって受信された位置関連情報が示す地面Ｐ上に、指定された建造物の種類またはタイプと指定された階数とからなる立体建造物Ｋが合成配置された立体地図Ｒが作成され、この立体地図Ｒを端末装置に送信する。【選択図】図６
2010152227.tif 000002
【特許請求の範囲】
【請求項１】
地図データを記憶した記憶手段と、
地図上の位置を特定するための位置関連情報と建造物の階数情報とを外部から受信する受信手段と、
この受信手段により受信された前記位置関連情報が示す位置を含む地図データを前記記憶手段から読み出す読出手段と、
前記受信手段により受信された建造物の階数情報に対応する立体形状の建造物画像を、前記読出手段により読み出された地図データ上のうち、前記前記位置関連情報が示す位置に配置した立体地図データを作成する作成手段と、
この作成手段により作成された立体地図データを外部に送信する送信手段と、
を備えたことを特徴とする立体地図データ提供装置。
【請求項２】
前記受信手段は、更に建造物の種別を示す種別情報を受信する種別情報受信手段を備え、
前記生成手段は、前記受信手段により受信された前記建造物の階数情報と前記種別情報受信手段により受信された建造物の種別を示す種別情報とに対応する立体形状の建造物画像を生成し、この作成された立体形状の建造物画像を、前記読出手段により読み出された地図データ上のうち、前記前記位置関連情報が示す位置に配置した立体地図データを作成する
ことを特徴とする請求項１記載の立体地図データ提供装置。
【請求項３】
地図データを記憶した記憶手段を備えた立体地図データ提供装置が有するコンピュータを、
地図上の位置を特定するための位置関連情報と建造物の階数情報とを外部から受信する受信手段と、
この受信手段により受信された前記位置関連情報が示す位置を含む地図データを前記記憶手段から読み出す読出手段と、
前記受信手段により受信された建造物の階数情報に対応する立体形状の建造物画像を、前記読出手段により読み出された地図データ上のうち、前記前記位置関連情報が示す位置に配置した立体地図データを作成する作成手段と、
この作成手段により作成された立体地図データを外部に送信する送信手段と、
して機能させることを特徴とする地図データ提供プログラム。
【請求項４】
地図上の位置を特定するための位置関連情報と建造物の階数情報とを外部から受信する受信ステップと、
この受信ステップにより受信された前記位置関連情報が示す位置を含む地図データを記憶手段から読み出す読出ステップと、
前記受信ステップにより受信された建造物の階数情報に対応する立体形状の建造物画像を、前記読出ステップにより読み出された地図データ上のうち、前記前記位置関連情報が示す位置に配置した立体地図データを作成する作成ステップと、
この作成ステップにより作成された立体地図データを外部に送信する送信ステップと、
を含むことを特徴とする立体地図データ作成方法。
【請求項５】
地図上の位置を特定するための位置関連情報と建造物の階数情報とを入力するための入力手段と、
この入力手段により入力された前記位置関連情報と建造物の階数情報とを外部に送信する送信手段と、
この送信手段により位置関連情報と建造物の階数情報とを外部に送信した後に、当該外部から送信された地図データ上のうち、前記前記位置関連情報が示す位置に、前記建造物の階数情報に基づく立体建造物画像が配置された立体地図データを受信する受信手段と、
この受信手段により受信された立体地図データに基づく地図を表示部に表示させる表示制御手段と、
を備えることを特徴とする端末装置。
【請求項６】
前記入力手段は、更に建造物の種別を示す種別情報を入力し、
前記送信手段は、更に前記種別情報を送信し、
前記受信手段は、前記建造物の階数情報と前記種別情報とに基づく立体建造物画像が合成配置された立体地図データを受信することを特徴とする請求項５記載の端末装置。
【請求項７】
端末装置が有するコンピュータを、
地図上の位置を特定するための位置関連情報と建造物の階数情報とを入力するための入力手段と、
この入力手段により入力された前記位置関連情報と建造物の階数情報とを外部に送信する送信手段と、
この送信手段により位置関連情報と建造物の階数情報とを外部に送信した後に、当該外部から送信された地図データ上のうち、前記前記位置関連情報が示す位置に、前記建造物の階数情報に基づく立体建造物画像が配置された立体地図データを受信する受信手段と、
この受信手段により受信された立体地図データに基づく地図を表示部に表示させる表示制御手段と、
して機能させることを特徴とする端末制御プログラム。
【請求項８】
地図上の位置を特定するための位置関連情報と建造物の階数情報とを入力するための入力ステップと、
この入力ステップにより入力された前記位置関連情報と建造物の階数情報とを外部に送信する送信ステップと、
この送信ステップにより位置関連情報と建造物の階数情報とを外部に送信した後に、当該外部から送信された地図データ上のうち、前記前記位置関連情報が示す位置に、前記建造物の階数情報に基づく立体建造物画像が配置された立体地図データを受信する受信ステップと、
この受信ステップにより受信された立体地図データに基づく地図を表示部に表示させる表示制御ステップと、
を含むことを特徴とする端末制御方法。
【発明の詳細な説明】
【技術分野】
【０００１】
本発明は、立体地図データ提供装置、立体地図データ提供プログラム、立体地図データ作成方法、及び端末装置、端末制御プログラム、端末制御方法に関するものである。
【背景技術】
【０００２】
最近の電子地図表示装置は、タウンページデータや市街地詳細地図情報を用いて様々なピンポイント検索ができるようになっている。ピンポイント検索としては、例えば電話番号検索、ピンポイント周辺情報検索、５０音検索等がある。電話番号検索の例をとり説明すれば、目的施設の電話番号を入力して目的施設周辺の地図を検索して表示する。すなわち、目的施設の電話番号を入力すると、電話番号データベースを参照して入力された電話番号の施設を求め、次いで、施設データベースを参照して目的施設の位置データを求め、この位置データに基づいて目的施設周辺の地図データをディスプレイに表示する。
【０００３】
このとき、特許文献１に開示されているように、目的施設の詳細情報、具体的には目的施設の名称、住所等を案内表示するようにすることも提案されている。
【特許文献１】特開平１１−３０９５２号公報
【発明の開示】
【発明が解決しようとする課題】
【０００４】
しかしながら、前記従来技術においては、ディスプレイに表示された目的施設周辺の地図、目的施設の施設の名称、住所等の案内を視認することができるにしても、実際に当該位置に存在する目的施設の外形形状までも視認することはできない。したがって、現地に赴いても当該施設を探すことは困難であり、また、希望する地図上の位置に建造物を簡単かつ迅速に建設設計することもできないなどの問題があった。
【０００５】
本発明は、かかる従来の課題に鑑みてなされたものであり、希望する地図上の位置に建造物を簡単かつ迅速に建設設計することのできる立体地図データ提供装置、立体地図データ提供プログラム、立体地図データ作成方法を提供することを目的とする。
また本発明は、現地に赴いて目的施設を容易に探すことができる端末装置、端末制御プログラム、端末制御方法を提供することを目的とする。
【課題を解決するための手段】
【０００６】
前記課題を解決するため請求項１記載の発明に係る立体地図データ提供装置にあっては、地図データを記憶した記憶手段と、地図上の位置を特定するための位置関連情報と建造物の階数情報とを外部から受信する受信手段と、この受信手段により受信された前記位置関連情報が示す位置を含む地図データを前記記憶手段から読み出す読出手段と、前記受信手段により受信された建造物の階数情報に対応する立体形状の建造物画像を、前記読出手段により読み出された地図データ上のうち、前記前記位置関連情報が示す位置に配置した立体地図データを作成する作成手段と、この作成手段により作成された立体地図データを外部に送信する送信手段と、を備えたことを特徴とする。
【０００７】
また、請求項２記載の発明に係る立体地図データ提供装置にあっては、前記受信手段は、更に建造物の種別を示す種別情報を受信する種別情報受信手段を備え、前記生成手段は、前記受信手段により受信された前記建造物の階数情報と前記種別情報受信手段により受信された建造物の種別を示す種別情報とに対応する立体形状の建造物画像を生成し、この作成された立体形状の建造物画像を、前記読出手段により読み出された地図データ上のうち、前記前記位置関連情報が示す位置に配置した立体地図データを作成することを特徴とする。
【０００８】
また、請求項３記載の発明に係る地図データ提供プログラムにあっては、地図データを記憶した記憶手段を備えた立体地図データ提供装置が有するコンピュータを、地図上の位置を特定するための位置関連情報と建造物の階数情報とを外部から受信する受信手段と、この受信手段により受信された前記位置関連情報が示す位置を含む地図データを前記記憶手段から読み出す読出手段と、前記受信手段により受信された建造物の階数情報に対応する立体形状の建造物画像を、前記読出手段により読み出された地図データ上のうち、前記前記位置関連情報が示す位置に配置した立体地図データを作成する作成手段と、この作成手段により作成された立体地図データを外部に送信する送信手段と、して機能させることを特徴とする。
【０００９】
また、請求項４記載の発明に係る立体地図データ作成方法にあっては、地図上の位置を特定するための位置関連情報と建造物の階数情報とを外部から受信する受信ステップと、この受信ステップにより受信された前記位置関連情報が示す位置を含む地図データを記憶手段から読み出す読出ステップと、前記受信ステップにより受信された建造物の階数情報に対応する立体形状の建造物画像を、前記読出ステップにより読み出された地図データ上のうち、前記前記位置関連情報が示す位置に配置した立体地図データを作成する作成ステップと、この作成ステップにより作成された立体地図データを外部に送信する送信ステップと、を含むことを特徴とする。
【００１０】
また、請求項５記載の発明に係る端末装置にあっては、地図上の位置を特定するための位置関連情報と建造物の階数情報とを入力するための入力手段と、この入力手段により入力された前記位置関連情報と建造物の階数情報とを外部に送信する送信手段と、この送信手段により位置関連情報と建造物の階数情報とを外部に送信した後に、当該外部から送信された地図データ上のうち、前記前記位置関連情報が示す位置に、前記建造物の階数情報に基づく立体建造物画像が配置された立体地図データを受信する受信手段と、この受信手段により受信された立体地図データに基づく地図を表示部に表示させる表示制御手段と、を備えることを特徴とする。
【００１１】
また、請求項６記載の発明に係る端末装置にあっては、前記入力手段は、更に建造物の種別を示す種別情報を入力し、前記送信手段は、更に前記種別情報を送信し、前記受信手段は、前記建造物の階数情報と前記種別情報とに基づく立体建造物画像が合成配置された立体地図データを受信することを特徴とする。
【００１２】
また、請求項７記載の発明に係る端末制御プログラムにあっては、端末装置が有するコンピュータを、地図上の位置を特定するための位置関連情報と建造物の階数情報とを入力するための入力手段と、この入力手段により入力された前記位置関連情報と建造物の階数情報とを外部に送信する送信手段と、この送信手段により位置関連情報と建造物の階数情報とを外部に送信した後に、当該外部から送信された地図データ上のうち、前記前記位置関連情報が示す位置に、前記建造物の階数情報に基づく立体建造物画像が配置された立体地図データを受信する受信手段と、この受信手段により受信された立体地図データに基づく地図を表示部に表示させる表示制御手段と、して機能させることを特徴とする。
【００１３】
また、請求項８記載の発明に係る端末制御方法にあっては、地図上の位置を特定するための位置関連情報と建造物の階数情報とを入力するための入力ステップと、この入力ステップにより入力された前記位置関連情報と建造物の階数情報とを外部に送信する送信ステップと、この送信ステップにより位置関連情報と建造物の階数情報とを外部に送信した後に、当該外部から送信された地図データ上のうち、前記前記位置関連情報が示す位置に、前記建造物の階数情報に基づく立体建造物画像が配置された立体地図データを受信する受信ステップと、この受信ステップにより受信された立体地図データに基づく地図を表示部に表示させる表示制御ステップと、を含むことを特徴とする。
【発明の効果】
【００１４】
本発明に係る立体地図データ提供装置、立体地図データ提供プログラム、立体地図データ作成方法によれば、希望する地図上の位置に建造物を簡単かつ迅速に建設設計することができる。
【００１５】
また、本発明に係る端末装置、端末制御プログラム、端末制御方法によれば、現地に赴いて目的施設を容易に探すことができる。
【発明を実施するための最良の形態】
【００１６】
以下、本発明の一実施の形態を図に従って説明する。
図１は、本実施の形態に係る画像送受信システムの構成を示すブロック図である。図において、本発明の端末装置として機能する携帯電話１は、通話機能、撮影機能、及び画像送受信機能を備える。無線基地局２は、携帯電話１を当該携帯電話１が加入する通信サービス事業者（インターネットプロバイダを含む）４に接続する。
【００１７】
通信サービス事業者（インターネットプロバイダを含む）４は、主なサービスとして提供している携帯電話サービスに必要とする通信回路処理部４１の他、後述のＷＷＷ（インターネット）５に接続するためのシステム（Ｗｅｂサーバ４３）、メールシステム（メールサーバ４２）を備えている。また、無線基地局２をＡＰ（アクセス・ポイント）として、携帯電話１をＷＷＷ５に接続させるための機能も備えている。画像提供サービス会社６は、ＷＷＷ５に接続するためのシステム（Ｗｅｂサーバ６１）、及び管理サーバ６３を備えている。
【００１８】
図２は、前記管理サーバ６３の詳細を示すブロック図であり、前記Ｗｅｂサーバ６１は、ハブ６４を介して管理サーバ６３に接続されている。管理サーバ６３は、入力操作部（キーボード、マウス等）６３１、制御部（メインフレーム）６３２、システムプログラム記憶部６３３、地図データ記憶部６３４、後述する画像データ管理テーブル６２、表示部６３５、及び通信制御部６３６がシステムバスにより相互に接続されたシステムである。
【００１９】
地図データ記憶部６３４には地図データが当該地図の位置を示す位置関連データとともに記憶されており、制御部６３２はワーク用のＲＡＭ６３４を備えている。そして、登録者が操作する携帯電話１に対し有料で、地図データ記憶部６３４に記憶されている地図データや画像データ管理テーブル６２内に格納されているデータ（画像情報）を配信したり、ダウンロードしたりするなどのサービスを行う。システムプログラム記憶部６３３には、後述するフローチャートにより示すプログラム等が格納されている。
【００２０】
図３は、前記画像データ管理テーブル６２のメモリ構成を示す図である。
画像データ管理テーブル６２は、対応する建造物タイプエリア６２１、建造物画像エリア６２２、及び種類名エリア６２３を備えている。建造物タイプエリア６２１には、建造物のタイプを示す符号Ａ〜Ｅが記憶されており、建造物画像エリア６２２には各建造物のタイプに対応する建造物の画像が記憶されており、種類名エリア６２３には各建造物の種類名「ビル」「個人住宅平屋」「個人住宅二階建」・・・等が記憶されている。
【００２１】
図４は、この実施の形態に使用される携帯電話１の構成を示すブロック図である。
無線部１２１は、アンテナ１０３に接続されており、ＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３を有しており、無論、計時手段を有している。通信データ処理部１２２１は、ＣＥＬＰ系ボコーダ＆音声復号処理回路、パケットデータ生成回路、及びパケットデータ復元回路を含み、通信プロトコルに沿ったデータ処理を行う。
【００２２】
システムＲＯＭ１２２２には、ＯＳのような基本システムが格納されるとともに、加入者情報記憶部１２２４が設けられる。加入者情報記憶部１２２４は、基地局２とのネゴシエーションに必要となる当該携帯電話１に固有のＩＤである端末ＩＤ、加入者ＩＤ情報を記憶する。オーディオインターフェース１２２３は、通信データ処理部１２２１で処理される音声信号の入出力を行うものであって、前記スピーカ１０１、マイク１１４及び録音用マイク１１５が接続されている。なお、入力部１０４は、シャッタキー、テンキー等で構成される。
【００２３】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、当該携帯電話１内で生成される各種データ等を記憶する。プログラムＲＯＭ（ＮＡＮＤ  Ｆｌａｓｈ）１２５は、後述するフローチャートに示すプログラム、メール処理プログラム、ブラウザを格納するウェブ処理系プログラム、ＪＰＥＧ、ＭＰＥＧ（−２、−４）方式に準拠した画像圧縮／伸張処理プログラム、ユーティリティ（環境ソフト）プログラム、及びその他アプリケーションプログラムを格納し、ユーザの操作に従い、これらのプログラムを選択して制御部１２２にロードする。音源ＩＣ１２６は、報知音の波形を記憶するとともに出力するものであって、アンプ１２７は音源ＩＣ１２６からの出力を増幅し、前記報知用スピーカ１２０はこれを再生する。
【００２４】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、撮像レンズ１１８により被写体像が結像されるＣＣＤ等からなり、ＤＳＰ１２９は、この撮像デバイス１３０からの画像信号を前記シャッタキーの操作等に応じて処理するものである。
【００２５】
次に、図５に従って、以上の構成に係る本実施形態の動作について説明する。
図５（Ａ）に示す携帯電話１と接続される管理サーバ６３は、システムプログラム記憶部６３３に記憶されているプログラムに基づき、図５（Ｂ）に示すように処理を実行する。  まず、合成画像作成サービス提供用ＨＰ（ホームページ）を表示部６３５に表示する（ステップＢ１）。
【００２６】
一方、携帯電話１は、プログラムＲＯＭ１２５に記憶されているプログラムに基づき、同図（Ａ）に示すように処理を実行する。すなわち、ユーザによる入力部１０４での操作に応じて、前記基地局２、ＷＷＷ５等を介して、管理サーバ６３にアクセスする（ステップＡ１）。
【００２７】
すると、管理サーバ６３は、このアクセスが受信されたか否かを判断し（ステップＢ２）、受信されたと判断されたならばＨＰ（ホームページ）画面等を携帯電話１に送信する（ステップＢ３）。このとき、管理サーバ６３は、図３に示した画像データ管理テーブル６２のデータも携帯電話１に送信する。携帯電話１は、これら管理サーバ６３から送信されるＨＰ画面を受信してメイン表示部１０２に表示させ、また、受信したプログラム等はＲＡＭ１２４に保存する（ステップＡ２）。
【００２８】
次に、携帯電話１は、ユーザによる入力部１０４での操作に応じて、必要なデータの入力・指定を送信する（ステップＡ３）。
【００２９】
すなわち、ユーザにより（１）位置関連情報、（２）建造物の種類、（３）建造物の階数、が入力されるとこれらデータを送信する。ここで、
（１）位置関連情報は、地図上の特定の位置を示す情報であり、住所であっても電話番号であってもよい。
（２）建造物の種類は、前記ステップＡ２でメイン表示部１０２に表示されている画像データ管理テーブル６２の建造物タイプエリア６２１から建造物の種類またはタイプのＡ〜Ｅの何れかを選択して指定する。
（３）建造物の階数は、１以上の整数値を入力することにより行い、例えば「５階」を指定するのであれば、メイン表示部１０２に表示された前記ホームページの階数指定欄に「５」を入力することにより行う。
【００３０】
そして、これら（１）位置関連情報、（２）建造物の種類（タイプ）、（３）建造物の階数が携帯電話１から送信されると、管理サーバ６３はこれらが受信されたか否かを判断する（ステップＢ４）。これら携帯電話１からの情報（１）（２）（３）が受信されたと判断されたならば、管理サーバ６３は、（１）受信した位置関連情報に基づいて、対応する位置を含む立体地図データを地図データ記憶部６３４から読み出して、表示部６３５に表示する（ステップＢ５）。
【００３１】
したがって、（１）位置関連情報として、例えば「羽村市小作５０番地」が受信されとすると、図６（ａ）に示すように、この「羽村市小作５０番地」である地面（敷地）Ｐを含む地図データが読み出されて、この読み出された地面（敷地）Ｐを含む地図データが表示部６３５に電子地図Ｍとして表示されることとなる。
【００３２】
次に、管理サーバ６３は、指定された（２）建造物の種類（タイプ）と、（３）建造物の階数とに基づいて、立体形状の建造物を自動作成する処理を実行する（ステップＢ６）。
【００３３】
例えば、（２）建造物の種類としてタイプ「Ａ」が指定され、（３）建造物の階数として「５」階が指定されたとする。すると、管理サーバ６３の制御部６３２は、画像データ管理テーブル６２の建造物画像エリア６２２から、建造物の種類としてタイプ「Ａ」に対応する種類名の「ビル」の画像を読み出すことにより、建造物の屋根を含む全体の概略形状を決定する。なお、本実施の形態においては、建造物画像エリア６２２には各々２種類の画像が記憶されているが、３種類以上の建造物画像ガ記憶されていても良いが、これらの建造物画像の何れか一つを自動選択して読み出す。
【００３４】
また、図６（ｂ）に示すように、この種類名の「ビル」の建造物画像における１階分の厚さＴ分の画像を抽出する。そして、この抽出した１階分の厚さＴ分の画像を（３）建造物の階数として指定された階数分高さ方向に積みかねて、建造物の高さを決定する。
【００３５】
つまり、本例のように、（３）建造物の階数として「５」階が指定されとすると、１階分の厚さＴ分の画像を高さ方向に５段積み重ねる。これにより、図６（ｂ）に示したように、（２）建造物の種類（タイプ）と、（３）建造物の階数（５階）とに基づいた立体形状の建造物である立体建造物Ｋが作成されることとなる。
【００３６】
しかる後に、この立体建造物を前記ステップＢ５で表示した電子地図Ｍ上の前記（１）受信した位置関連情報に対応する地面（敷地）Ｐ上に配置した立体地図を作成する処理を実行する（ステップＢ７）。すなわち、前記地面（敷地）Ｐ上に立体建造物Ｋを合成配置する。このとき、立体建造物Ｋの水平方向（水平断面方向）の形状は、地面（敷地）Ｐの形状に合致するように変形して、当該地面（敷地）Ｐ上に配置合成する。
【００３７】
これにより、図６（ｃ）に示すように、電子地図Ｍ上であって受信された位置関連情報が示す地面Ｐ上に、指定されたタイプであって指定された階数からなる立体建造物Ｋが合成配置された立体地図Ｒが作成されることとなる。したがって、希望する地図上の位置に建造物を簡単かつ迅速に建設設計することができる。
【００３８】
次いで、この作成済みの立体地図Ｒを携帯電話１に送信する（ステップＢ８）。すると、携帯電話１は、この立体地図を受信したか否かを判断し（ステップＡ４）、受信したと判断されたならば当該立体地図をメイン表示部１０２に表示する。したがって、携帯電話１のメイン表示部１０２にも、図６（ｃ）に示した立体地図Ｒが表示されることとなる。
【００３９】
したがって、携帯電話１のユーザは、現地に赴いて目的とする施設（立体建造物Ｋ）を容易に探すことが可能となる。
【００４０】
なお、本実施の形態においては、（１）位置関連情報、（２）建造物の種類（タイプ）、（３）建造物の階数を携帯電話１で入力し、送信するようにしたが、（１）位置関連情報、と（３）建造物の階数のみを携帯電話１で入力し、送信するようにしてもよい。この場合であっても、外観形状は実際の建造物とは異なるが地図上の表示位置及び階数に関しては実際の建造物と同一にすることができる。よって、この場合であっても、希望する地図上の位置に建造物を簡単かつ迅速に建設設計することができるとともに、携帯電話１のユーザは、現地に赴いて目的施設を容易に探すことが可能となる。
【００４１】
また、本実施の形態においては、Ａ〜Ｅの符号により建造物のタイプを指定するようにしたが、建造物画像エリア６２２に記憶されている建造物画像を表示し、ユーザがこの表示された建造物画像のいずれかを選択することにより建造物のタイプを指定するようにしてもよい。
【図面の簡単な説明】
【００４２】
【図１】本発明の一実施の形態に係る画像送受信システムの構成を示すブロック図である。
【図２】管理サーバの詳細を示すブロック図である。
【図３】画像データ管理テーブルの記憶内容を示す図である。
【図４】携帯電話の構成を示すブロック図である。
【図５】携帯電話及び管理サーバの処理手順を示すフローチャートである。
【図６】立体地図の生成過程を示す遷移図である。
【符号の説明】
【００４３】
１    携帯電話
６    画像提供サービス会社
４１    通信回路処理部
６２    画像データ管理テーブル
６３    管理サーバ
１０２    メイン表示部
１０３    アンテナ
１０４    入力部
１２１    無線部
１２２    制御部
１２３    データバス処理部
１２４    ＲＡＭ
１２５    プログラムＲＯＭ
１２８    表示モジュール系ドライバ
１２９    ＤＳＰ
６２１    建造物タイプエリア
６２２    建造物画像エリア
６２３    種類名エリア
６３２    制御部
６３３    システムプログラム記憶部
６３４    地図データ記憶部
６３４    ＲＡＭ
６３５    表示部
６３６    通信制御部
Ｋ    立体建造物
Ｍ    電子地図
Ｐ    地面
Ｒ    立体地図
【図１】
2010152227.tif 000003
【図２】
2010152227.tif 000004
【図３】
2010152227.tif 000005
【図４】
2010152227.tif 000006
【図５】
2010152227.tif 000007
【図６】
2010152227.tif 000008